(57)【要約】【課題】  粘り気の強い粗挽練肉を、エアー圧とホースを使って所定の場所まで円滑に移送することのできる移送装置を提供する。【解決手段】  シュウマイ等に用いる粘り気の強い粗挽練肉Ｍを、エアー圧によってホース内を移動させ、所定の場所まで移送する装置であって、少なくとも、粗挽練肉Ｍを投入するロータリーフィーダー１０と、ロータリーフィーダー１０に第一負圧ホース１５によって連通し、移送されてきた粗挽練肉Ｍが所定量に達すると、その重量で開き、粗挽練肉Ｍを落下させる底蓋２１を有する定量タンク２０と、タンクに第二負圧ホース２５を介し連通するバキュームポンプ３０と、ロータリーフィーダー１０に、正圧ホース４５によって連通するブロワー４０とで構成する。【選択図】      図１
0003116335.tif 000002
【実用新案登録請求の範囲】
【請求項１】
シュウマイ等に用いる粘り気の強い粗挽練肉（Ｍ）を，エアー圧によってホース内を移動させ，所定の場所まで移送する装置であって、少なくとも、前記粗挽練肉を投入するロータリーフィーダー（１０）と、前記ロータリーフィーダーに第一負圧ホース（１５）によって連通し，移送されてきた粗挽練肉が所定量に達すると，その重量で開き，前記粗挽練肉を落下させる底蓋（２１）を有する定量タンク（２０）と、該定量タンクに第二負圧ホース（２５）を介して連通するバキュームポンプ（３０）と、前記ロータリーフィーダーに，正圧ホース（４５）によって連通するブロワー（４０）と、からなる粗挽練肉移送装置。
【請求項２】
シュウマイ等に用いる粘り気の強い粗挽練肉（Ｍ）を，エアー圧によってホース内を移動させ，所定の場所まで移送する装置であって、少なくとも、前記粗挽練肉を投入するロータリーフィーダー（１０）と、前記ロータリーフィーダーに第一負圧ホース（１５）によって連通し，移送されてきた前記粗挽練肉が所定量に達すると，その重量で開き，該粗挽練肉を落下させる底蓋（２１）を有する定量タンク（２０）と、該定量タンクに第二負圧ホース（２５）によって連通し，移送されてきた水分等を含むエアー中の水分量等が所定量に達すると，その重量で開き，該水分等を落下させる底板（５１）を有する補助タンク（５０）と、前記補助タンクに第三負圧ホース（３５）によって連通するバキュームポンプ（３０）と、前記ロータリーフィーダーに，正圧ホース（４５）によって連通するブロワー（４０）と、からなる粗挽練肉移送装置。
【考案の詳細な説明】
【技術分野】
【０００１】
本考案は、シュウマイ等に用いる粗挽練肉を、エアー圧によってホース内を移動させ、所定の場所まで移送する粗挽練肉移送装置に関するものである。
【背景技術】
【０００２】
シュウマイ等に用いる粗挽練肉は、粘り気の強い肉汁に、約１立方センチ角の肉粒が無数に混ざっている。こうした状態にある粗挽練肉を、所定の場所（例えば、輸送車の荷台）まで移送する手段として、ギヤーポンプを使って、ホース内を移動させることが考えられる。しかし、ギヤーポンプを用いると、肉粒が潰れて粗挽練肉として使用出来なくなる。
【考案の開示】
【考案が解決しようとする課題】
【０００３】
ギヤーポンプを使用して、エアーの負圧により、ホース内を移動させて移送する手段においては、粗挽練肉は粘り気が強いため、当該ホース内で詰まってしまい、円滑に移送することができないといった問題がある。
【０００４】
本考案はこうした問題に鑑み創案されたもので、粘り気の強い粗挽練肉を、エアー圧とホースを使って所定の場所まで円滑に移送することのできる移送装置を提供することを課題とする。
【課題を解決するための手段】
【０００５】
図１乃至図３を参照して説明する。請求項１に記載の粗挽練肉移送装置１は、シュウマイ等に用いる粘り気の強い粗挽練肉Ｍを、エアー圧によってホース内を移動させ、所定の場所まで移送する装置であって、少なくとも、前記粗挽練肉Ｍを投入するロータリーフィーダー１０と、前記ロータリーフィーダー１０に第一負圧ホース１５によって連通し、移送されてきた粗挽練肉Ｍが所定量に達すると、その重量で開き、前記粗挽練肉Ｍを落下させる底蓋２１を有する定量タンク２０と、該定量タンク２０に第二負圧ホース２５によって連通するバキュームポンプ３０と、前記ロータリーフィーダー１０に、正圧ホース４５によって連通するブロワー４０と、からなるものである。
【０００６】
請求項２に記載の粗挽練肉移送装置１は、シュウマイ等に用いる粘り気の強い粗挽練肉Ｍを、エアー圧によってホース内を移動させ、所定の場所まで移送する装置であって、少なくとも、前記粗挽練肉Ｍを投入するロータリーフィーダー１０と、前記ロータリーフィーダー１０に第一負圧ホース１５によって連通し、移送されてきた前記粗挽練肉Ｍが所定量に達すると、その重量で開き、当該粗挽練肉Ｍを落下させる底蓋２１を有する定量タンク２０と、該定量タンクに第二負圧ホース２５によって連通し、移送されてきた水分等を含むエアー中の水分量等が所定量に達すると、その重量で開き、該水分等を落下させる底板５１を有する補助タンク５０と、前記補助タンク５０に第三負圧ホース３５によって連通するバキュームポンプ３０と、前記ロータリーフィーダー１０に、正圧ホース４５によって連通するブロワー４０と、からなるものである。
【考案の効果】
【０００７】
この考案に係る粗挽練肉移送装置１は、ロータリーフィーダー１０に投入された粗挽練肉Ｍを、バキュームポンプ３０からの負圧によって吸引するのみでなく、ブロワー４０から正圧を供給して移送するので、当該粗挽練肉Ｍを第一負圧ホース１５および第二負圧ホース２５内を通して、詰まらせることなく、所定の場所まで円滑に移送することができる。
【０００８】
すなわち、ロータリーフィーダー１０に投入された粗挽練肉Ｍは、ロータリーフィーダー１０によって所定量ずつに分けられる。そして、所定量の粗挽練肉Ｍは、バキュームポンプ３０からの負圧によって、第一負圧ホース１５内を通過して定量タンク２０内に移動する。この際、ロータリーフィーダー１０および第一負圧ホース１５には、ブロワー４０から正圧のエアーが適量供給されるので、塊状の粗挽練肉Ｍとその次に送られてくる塊状の粗挽練肉Ｍとの間にエアーブロックＡが形成され、よって、当該粗挽練肉Ｍは、第一負圧ホース１５および第二負圧ホース２５内を詰まることなく円滑に移動することができる。
【０００９】
なお、定量タンク２０に達した粗挽練肉Ｍは、その量が一定量になると、その重量によって当該定量タンク２０の底蓋２１が自動的に開くため、自然落下して所定の場所に到達する。
【００１０】
請求項２に記載の粗挽練肉移送装置１は、請求項１に記載の考案と同様に、粗挽練肉Ｍを、所定の場所まで円滑に移送することができる。
【００１１】
また、定量タンク２０を通過した水分等を含むエアーは、第二負圧ホース２５を経て補助タンク５０内に流動し、補助タンク５０内に水分等を落下させ、残りのエアーは第三負圧ホース３５を介してバキュームポンプ３０に吸込まれる。なお、この補助タンク５０も、一定量の水分等が溜まると、その重量で自動的に開く底板５１を備えているので、水分等を確実に分離することができる。
【考案を実施するための最良の形態】
【００１２】
本考案に係る粗挽練肉移送装置１の実施形態を、図１乃至図３に示す。これは、シュウマイを作るのに用いる粘り気の強い粗挽練肉Ｍを、エアー圧によってホース内を移動させ、所定の場所（移送車に載せた移送容器６０）まで移送する装置であって、ロータリーフィーダー１０、定量タンク２０、補助タンク５０、バキュームポンプ３０およびブロワー４０を備える。また、ブロワー４０には、エアーフィルター８０を連結している。
【００１３】
ロータリーフィーダー１０は、前記粗挽練肉Ｍを投入する部分であるホッパー部１１と、当該粗挽練肉Ｍを所定量ずつに分ける本体部１２とからなる。本体部１２は、円筒壁１３とその中で回転する回転歯１４とで構成している。
【００１４】
定量タンク２０は、ロータリーフィーダー１０に第一負圧ホース１５によって連通し、その底部に蝶番２２で連結した底蓋２１を有する。この底蓋２１は、エアー圧によって移送されてきた粗挽練肉Ｍが所定量に達すると、その重量で自動的に開き、当該粗挽練肉Ｍを自然落下させる。
【００１５】
補助タンク５０は、定量タンク２０に第二負圧ホース２５によって連通し、その底部に．蝶番５２で連結した底板５１を有する。この底板５１は、定量タンク２０を通過して送られてきた水分等が所定量に達すると、その重量で開き、サブ容器７０内へ落下させる。
【００１６】
バキュームポンプ３０は、補助タンク５０に第三負圧ホース３５によって連通し、当該第三負圧ホース３５、補助タンク５０、第二負圧ホース２５、定量タンク２０、第一負圧ホース１５およびロータリーフィーダー１０に負圧を供給する。
【００１７】
そして、ブロワー４０は、ロータリーフィーダー１０に、正圧ホース４５によって連通し、当該ロータリーフィーダー１０にエアーを送る。
【００１８】
本実施形態に係る粗挽練肉移送装置１は、次のように作動する。まず、粗挽練肉Ｍを、ロータリーフィーダー１０のホッパー部１１に投入する。ホッパー部１１に投入された粗挽練肉Ｍは、当該ロータリーフィーダー１０の本体部１２を構成する回転歯１４によって所定量ずつに分けられる。
【００１９】
所定量に分けられ粗挽練肉Ｍは、バキュームポンプ３０からの負圧によって、第一負圧ホース１５内を通過して定量タンク２０内に移動する。この際、ロータリーフィーダー１０および第一負圧ホース１５には、ブロワー４０から正圧のエアーが供給されるので、所定量に分けられた塊状の粗挽練肉Ｍとその次に送られてくる所定量の塊状の粗挽練肉Ｍとの間にエアーブロックＡが形成される。従って、当該粗挽練肉Ｍは、第一負圧ホース１５および第二負圧ホース２５内を、詰まることなく、円滑に移動して移送容器６０に円滑に移送される。
【００２０】
なお、定量タンク２０に達した粗挽練肉Ｍは、その量が一定量になると、その重量によって当該定量タンク２０の底蓋２１が自動的に開くため、自然落下して移送容器６０に容易に到達する。
【００２１】
また、この粗挽練肉移送装置１は、定量タンク２０の他に、補助タンク５０を設けており、当該定量タンク２０から落下しなかった水分等を、この補助タンク５０を通して落下させ、所定の場所（サブ容器７０）に移送している。この補助タンク５０は、一定量の水分等が溜まると、その重量で自動的に開く底板５１を備えているので、当該粗挽練肉Ｍを確実に移送することができる。
【００２２】
このように、本実施形態に係る粗挽練肉移送装置１は、ロータリーフィーダー１０に投入された粗挽練肉Ｍを、バキュームポンプ３０からの負圧によって吸引するのみでなく、ブロワー４０から加圧を供給して移送しているので、当該粗挽練肉Ｍを第一負圧ホース１５および第二負圧ホース２５内を、詰まらせることなく、円滑に移送することができる。
【００２３】
なお、本考案に係る粗挽練肉移送装置１は、補助タンク５０を設けないで構成することもできる。また、ロータリーフィーダー１０の構成は、前記実施形態のように回転歯１４を備えたものに限定されず、例えば、ベーンポンプ型ロータリーフィーダーを設けた構成とすることもできる。
【実施例】
【００２４】
広島市西区観音本町１丁目２番において、有限会社傳平製作所製ロータリーフィーダー，株式会社日立製作所製リングブロー及び内径５０ｍｍ，長さ８ｍのホースを用いて実験したところ粗挽練肉ＭとエアーブロックＡとが交互に、詰まりを生じることなく送ることが出来た。
【図面の簡単な説明】
【００２５】
【図１】本考案に係る粗挽練肉移送装置の実施形態を示す正面構成図である。
【図２】図１のＸ−Ｘ線断面図である。
【図３】図１のＹ部拡大断面図である。
【符号の説明】
【００２６】
１        粗挽練肉移送装置
１０      ロータリーフィーダー
１１      ホッパー部
１２      本体部
１３      円筒壁
１４      回転歯
１５      第一負圧ホース
２０      定量タンク
２１      底蓋
２２      蝶番
２５      第二負圧ホース
３０      バキュームポンプ
３５      第三負圧ホース
４０      ブロワー
４５      正圧ホース
５０      補助タンク
５１      底板
５２      蝶番
６０      移送容器
７０      サブ容器
８０      エアーフィルター
Ｍ        粗挽練肉
Ａ        エアーブロック
【図１】
0003116335.tif 000003
【図２】
0003116335.tif 000004
【図３】
0003116335.tif 000005